(57)【要約】【課題】商品の取出性を低下させることなく商品の盗難を確実に防止することのできる自動販売機を提供する。【解決手段】商品収納コラム５の下面に前端を回動自在に支持され、その後端側によって商品収納コラム５の下面を開閉する防盗部材６と、防盗部材６を閉鎖する方向に付勢するバネ６ｂを備えているので、防盗部材６は前端を回動自在に支持され、後端側によって商品収納コラム５の下面を開閉し、通常は商品収納コラム５の下面を閉鎖することができ、商品取出口２ｆから手を挿入された場合に、防盗部材６によって商品収納コラム５の開放を阻止できるために、商品Ａの抜き取りを確実に防ぐことができる。この場合、商品収納コラム５の下部に防盗部材６を備えているので、商品取出口２ｆに防盗部材を取付ける必要がなく、商品Ａの取出性の向上を図ることができる。【選択図】図３
2005063005.tif 000002
【特許請求の範囲】
【請求項１】
前面を開口した自動販売機本体と、自動販売機本体の前面を開閉する外扉と、自動販売機本体内に設けられた商品収納庫と、商品収納庫内に設けられた商品収納コラムと、商品収納コラムの下方に前下りに傾斜するように設けられたシュート板とを備え、商品収納コラムの下面から落下搬出された商品をシュート板によって外扉下部の商品取出口に案内するようにした自動販売機において、
前記商品収納コラムの下方に前端を回動自在に支持され、その後端側によって商品収納コラムの下面を開閉する防盗部材と、
防盗部材を商品収納コラムの下面を閉鎖する方向に付勢する付勢手段とを備えた
ことを特徴とする自動販売機。
【請求項２】
前記防盗板を商品収納コラムの下端側に取付けた
ことを特徴とする請求項１記載の自動販売機。
【請求項３】
前記防盗板を商品収納庫の前面を開閉する内扉の内面に取付けた
ことを特徴とする請求項１記載の自動販売機。
【請求項４】
前記防盗板を商品収納庫の側面に取付けた
ことを特徴とする請求項１記載の自動販売機。
【請求項５】
前記防盗部材の前方への回動を防盗部材とシュート板との間隔がほぼ最小になる位置で規制する回動規制部材を備えた
ことを特徴とする請求項１、２、３または４記載の自動販売機。
【請求項６】
前記商品収納コラム内の商品通路を構成する商品通路板と同一の部品を防盗部材として用いた
ことを特徴とする請求項１、２、３、４または５記載の自動販売機。
【請求項７】
前記防盗部材に通気孔を設けた
ことを特徴とする請求項１、２、３、４、５または６記載の自動販売機。
【請求項８】
前記防盗部材を前方から少なくとも２列以上の商品収納コラムの下方に設けた
ことを特徴とする請求項１、２、３、４、５、６または７記載の自動販売機。
【発明の詳細な説明】
【技術分野】
【０００１】
本発明は、ビン、缶またはペットボトル入り飲料等の商品を販売する自動販売機に関するものである。
【背景技術】
【０００２】
従来、この種の自動販売機としては、自動販売機本体の前面を開閉する外扉と、自動販売機本体内に設けられた商品収納庫と、商品収納庫の前面を開閉する内扉と、上端を回動自在に支持され、内扉の商品搬出口を開閉する搬出扉とを備え、商品収納庫の商品を内扉の商品搬出口から外扉の商品取出口に搬出するようにしたものが知られている。
【０００３】
この自動販売機においては、商品取出口内に上端を回動自在に支持された防盗板を設け、防盗板によって搬出扉の開放を規制することにより、商品取出口から手や異物を挿入して商品を抜き取るといった不正行為を阻止するようにしたものが知られている。しかしながら、防盗板は商品の盗難を防止する機能を有する反面、通常の販売時において商品を取出す際、防盗板に手や商品が接触するなど、商品の取出性を低下させるという欠点がある。
【０００４】
そこで、商品の取出性を向上させるために商品取出口に防盗板を取り付けずに、商品収納コラムの下部に後端を回動自在に支持され、商品搬出時に前端側が開閉する防盗部材を設けることにより、商品の抜き取りを防止したものが知られている（例えば、特許文献１参照）。
【特許文献１】特開２００１−３４４６４２号公報
【発明の開示】
【発明が解決しようとする課題】
【０００５】
しかしながら、前記防盗部材は、商品収納コラムの下部に後端を回動自在に支持され、商品搬出時に前端側が開閉するようになっているため、防盗部材の前端に手が届いた場合には、防盗部材が後方に回動させることにより商品収納コラムの下面が開放されて、商品が抜き取られるという問題点があった。
【０００６】
本発明は前記問題点に鑑みてなされたものであり、その目的とするところは、商品の取出性を低下させることなく商品の盗難を確実に防止することのできる自動販売機を提供することにある。
【課題を解決するための手段】
【０００７】
本発明は前記目的を達成するために、請求項１では、前面を開口した自動販売機本体と、自動販売機本体の前面を開閉する外扉と、自動販売機本体内に設けられた商品収納庫と、商品収納庫内に設けられた商品収納コラムと、商品収納コラムの下方に前下りに傾斜するように設けられたシュート板とを備え、商品収納コラムの下面から落下搬出された商品をシュート板によって外扉下部の商品取出口に案内するようにした自動販売機において、前記商品収納コラムの下方に前端を回動自在に支持され、その後端側によって商品収納コラムの下面を開閉する防盗部材と、防盗部材を商品収納コラムの下面を閉鎖する方向に付勢する付勢手段とを備えている。
【０００８】
また、請求項２では、請求項１の自動販売機において、前記防盗板を商品収納コラムの下端側に取付けている。
【０００９】
また、請求項３では、請求項１の自動販売機において、前記防盗板を商品収納庫の前面を開閉する内扉の内面に取付けている。
【００１０】
また、請求項４では、請求項１の自動販売機において、前記防盗板を商品収納庫の側面に取付けている。
【００１１】
これにより、防盗部材は前端側を回動自在に支持され、その後端側によって商品収納コラムの下面が開閉されるとともに、商品収納コラムの下面を閉鎖する方向に付勢されることから、商品収納コラムの下部に手が挿入され、手が届いた場合でも、防盗部材は前端が支持されているため、容易に商品収納コラムの下面が開放されることはない。
【００１２】
また、請求項５では、請求項１、２、３または４の自動販売機において、前記防盗部材の前方への回動を防盗部材とシュート板との間隔がほぼ最小になる位置で規制する回動規制部材を備えている。これにより、請求項１、２、３または４の作用に加え、防盗部材の前方への回動が防盗板とシュート板との間隔が最小になる位置で規制されることから、防盗部材が前方に回動された場合でも、防盗部材とシュート板との間への手の侵入が阻止される。
【００１３】
また、請求項６では、請求項１、２、３、４または５の自動販売機において、前記商品収納コラム内の商品通路を構成する商品通路板と同一の部品を防盗部材として用いている。これにより、請求項１、２、３，４または５の作用に加え、商品通路板が防盗部材として用いられることから、防盗部材専用の部材を製造する必要がない。
【００１４】
また、請求項７では、請求項１、２、３、４、５または６の自動販売機において、前記防盗部材に通気孔を設けている。これにより、請求項１、２、３、４、５または６の作用に加え、防盗部材に通気孔が設けられていることから、商品収納庫内の空気を通気孔を通じて循環させることが可能となる。
【００１５】
また、請求項８では、請求項１、２、３、４、５、６または７の自動販売機において、前記防盗部材を前方から少なくとも２列以上の商品収納コラムの下方に設けている。これにより、請求項１、２、３、４、５、６または７の作用に加え、防盗部材が自動販売機本体の前面側から２列以上設けられていることから、商品取出口から手を挿入された場合でも、防盗部材によって手の届く範囲の商品収納コラム内への手の侵入が阻止される。
【発明の効果】
【００１６】
請求項１、２、３または４の自動販売機によれば、防盗部材は前端を回動自在に支持され、後端側によって商品収納コラムの下面を開放し、通常は商品収納コラムの下面を閉鎖することができるので、商品取出口から手を挿入された場合に、容易に商品収納コラムの下面を開放されることはなく、商品の抜き取りを確実に防止することができる。更に、商品収納コラムの下部に防盗部材を備えているので、商品取出口に防盗部材を取付ける必要はなく、取出性の向上を図ることもできる。
【００１７】
また、請求項５では、請求項１、２、３または４の効果に加え、商品取出口から手を挿入され、防盗部材が開放された場合でも、防盗部材とシュート板との間への手の侵入を確実に阻止することができるので、防盗効果をより高めることができる。
【００１８】
また、請求項６では、請求項１、２、３、４または５の効果に加え、防盗部材専用の部材を製造する必要がなく、商品通路板を防盗部材として用いることができるので、製造コストの低減を図ることができる。
【００１９】
また、請求項７では、請求項１、２、３、４、５または６の効果に加え、商品収納庫内の空気を通気孔を通じて循環させることができるので、冷却または加温効率の低下を防ぐことができる。
【００２０】
また、請求項８では、請求項１、２、３、４、５、６または７の効果に加え、商品取出口から手を挿入された場合でも、防盗部材によって手の届く範囲の商品収納コラム内への手の侵入を阻止することができるので、商品の抜き取りを確実に防止することができる。
【発明を実施するための最良の形態】
【００２１】
図１乃至図５は本発明の一実施形態を示すもので、図１は自動販売機の斜視図、図２は自動販売機の側面断面図、図３は自動販売機の要部側面断面図、図４は防盗部材の動作を示す側面断面図、図５は防盗部材の斜視図である。
【００２２】
この自動販売機は、前面を開口した自動販売機本体１と、自動販売機本体１の前面を開放する外扉２と、自動販売機本体１内に設けられた商品収納庫３と、商品収納庫３の前面を開閉する内扉４と、商品収納庫３内に設けられた複数の商品収納コラム５と、商品収納庫３の前面側に位置する商品収納コラム５の下方に設けられた防盗部材６と、各商品収納コラム５の下方に前方に傾斜するように設けられたシュート板７とを備えている。
【００２３】
自動販売機本体１はその下部に機械室１ａが設けられ、機械室１ａ内には図示しない冷凍機や電装ユニットが収納されている。
【００２４】
外扉２は、前面に商品サンプル２ａ、商品選択スイッチ２ｂ、硬貨投入口２ｃ、紙幣投入口２ｄ、硬貨返却口２ｅ及び商品取出口２ｆを備え、その幅方向一端側を自動販売機本体１に回動自在に支持されている。
【００２５】
商品収納庫３は、前面を開口した断熱壁３ａによって形成され、内部には図示しない冷却器及び送風機からなる冷却ユニット及びヒータが設けられている。
【００２６】
内扉４は、商品収納庫３の前面開口部を開閉するように幅方向一端側を自動販売機本体１に回動自在に支持され、その下部には商品搬出口４ａが設けられている。更に、商品搬出口４ａには搬出扉４ｂが上端を内扉４に回動自在に支持されている。
【００２７】
各商品収納コラム５は、サーペンタイン式の周知の構造からなり、商品収納庫３内に複数設けられている。即ち、商品収納コラム５は、各商品収納コラム５の上部の商品投入口５ａから投入された商品Ａを蛇行状の商品通路５ｂに収納し、商品通路５ｂの下端に設けた商品搬出機構５ｃにより商品通路５ｂ内の商品を１つずつ下方に落下させて搬出するようになっている。
【００２８】
防盗部材６は商品収納コラム５内の商品通路５ｂを構成する商品通路板５ｃと同一の部品が用いられ、商品収納コラム５の下面を開閉するように前端を支軸６ａを介して商品収納コラム５に回動自在に支持されている。ここで用いられる防盗部材６は円弧状の板状部材に前後方向に延びる通気孔６ｄが設けられている。このとき、防盗部材６は支軸６ａに巻回されたバネ６ｂによって、商品収納コラム５の下面を閉鎖する方向に付勢されている。また、防盗部材６には商品収納コラム５の下面を開放する方向への回動を、防盗部材６の後端とシュート板７との間隔Ｌが最小になる位置で規制する回動規制部材６ｃが支軸６ａの下部に設けられている。
【００２９】
シュート板７は板状の部材からなり、商品収納庫３内の下部に前下りに傾斜して、搬出される商品Ａを商品取出口２ｆに案内するように設けられている。
【００３０】
以上のように構成された自動販売機においては、利用者が硬貨投入口２ｃまたは紙幣投入口２ｄに金銭を投入し、任意の商品選択スイッチ２ｂを押圧すると、その商品選択スイッチ２ｂに対応する商品収納コラム５内の商品Ａが落下搬出され、シュート板７によって商品取出口２ｆに搬出される。ここで、商品収納庫３内の前面側に位置する商品収納コラム５から商品Ａが搬出されると、防盗部材６は商品Ａの重さによりバネ６ｂの付勢力に抗して商品収納コラム５の下面を開放する方向に回動し、商品Ａを後方に落下搬出させる。防盗部材６は商品Ａを落下搬出させた後、付勢力によって瞬時に商品収納コラム５の下面を閉鎖する方向に回動するので、商品取出口２ｆに商品Ａを搬出する際の妨げになることはない。
【００３１】
また、不正に商品Ａを取出す目的で手や異物を商品取出口２ｆから挿入した場合には、商品収納コラム５の下面が防盗部材６によって閉鎖されているので、商品Ａに触れることはできない。更に、防盗部材６が開放されたとしても、防盗部材６は前方に回動して開放されるとともに、回動規制部材６ｃによって、防盗部材６とシュート板７との間隔Ｌが小さくなる位置で回動が規制されることから、手の侵入が妨げられる。
【００３２】
このように、本実施形態の自動販売機によれば、商品収納コラム５の下面に前端を回動自在に支持され、その後端側によって商品収納コラム５の下面を開閉する防盗部材６と、防盗部材６を閉鎖する方向に付勢するバネ６ｂを備えているので、防盗部材６は前端を回動自在に支持され、後端側によって商品収納コラム５の下面を開閉し、通常は商品収納コラム５の下面を閉鎖することができ、商品取出口２ｆから手を挿入された場合に、防盗部材６によって商品収納コラム５の開放を阻止できるために、商品Ａの抜き取りを確実に防ぐことができる。この場合、商品収納コラム５の下部に防盗部材６を備えているので、商品取出口２ｆに防盗部材を取付ける必要がなく、商品Ａの取出性の向上を図ることができる。
【００３３】
また、防盗部材６の回動を防盗部材６とシュート板７との間隔が最小になる位置で規制する回動規制部材６ｃを備えているので、商品取出口２ｆから手を挿入され、防盗部材６が開放された場合でも、防盗部材６とシュート板７との間への手の侵入を確実に阻止することができ、防盗効果をより高めることができる。
【００３４】
また、商品収納コラム５内の商品通路５ｂを構成している商品通路板５ｃと同一の部品を防盗部材６として用いているので、防盗部材６専用の部品を製造する必要がなく、商品通路板５ｃを防盗部材６として用いることができ、製造コストの低減を図ることができる。
【００３５】
また、防盗部材６に通気孔６ｄを設けているので、商品収納庫３内の空気を通気孔６ｄを通じて循環させることができ、冷却または加温効率の低下を防ぐことができる。
【００３６】
また、防盗部材６を前方から少なくとも２列以上の商品収納コラム５の下方に設けているので、商品取出口２ｆから手を挿入された場合でも、防盗部材６によって手の届く範囲の商品収納コラム５内への手の侵入を阻止することができ、確実に商品Ａの抜き取りを防止することができる。
【００３７】
尚、前記実施形態では、商品収納コラム５の下端に防盗部材６を取付けたものを示したが、図６に示すように前面側の防盗部材６を取付金具８ａを介して内扉４の内面に取付けるようにしたり、前面から２列目の防盗部材６を商品収納庫３の側面に取付金具８ｂを介して取付けるようにしてもよい。この場合、防盗部材６は断熱壁３ａまたは商品収納庫３を分割する仕切板３ｂに取付けられるようになっている。
【図面の簡単な説明】
【００３８】
【図１】本発明の一実施形態を示す自動販売機の斜視図である。
【図２】自動販売機の側面断面図である。
【図３】自動販売機の要部側面断面図である。
【図４】防盗部材の動作を示す要部側面断面図である。
【図５】防盗部材の斜視図である。
【図６】防盗部材の他の取付方法を示す要部側面断面図である。
【符号の説明】
【００３９】
１…自動販売機本体、２…外扉、２ｆ…商品取出口、３…商品収納庫、４…内扉、５…商品収納コラム、５ｂ…商品通路、５ｃ…商品通路板、６…防盗部材、６ｂ…バネ、６ｃ…回動規制部材、６ｄ…通気孔、７…シュート板、Ａ…商品。
【図１】
2005063005.tif 000003
【図２】
2005063005.tif 000004
【図３】
2005063005.tif 000005
【図４】
2005063005.tif 000006
【図５】
2005063005.tif 000007
【図６】
2005063005.tif 000008